(57)【要約】【課題】  画面切り替え操作を必要とすることなく、また、マルチ画面化することなく、ひとつの表示画面全体を利用して異なる情報が観察できるようにする。【解決手段】  表示形態がドットマトリクス型である液晶パネル（表示部）１１０と、所定の画像データが格納されている画像データソース源と、上記画像データソース源から画像データを読み出して液晶パネル１１０を駆動する表示制御手段とを含む表示装置において、液晶パネル１１０の表示画面１１１を複数の行Ｌ１〜Ｌｎに仮想的に分割して、その奇数行と偶数行とにそれぞれ異なる例えば背景画像と時計画像を表示するとともに、液晶パネル１１０の観察面側もしくは反観察面側のいずれかにスリット板１２０を配置して、表示画面１１１と視線Ｅとの相対的な角度を変えることにより、特定の第１角度では例えば背景画像を観察することができ、特定の第２角度では例えば時計画像を観察することができるようにする。【選択図】  図３
2005107326.tif 000002
【特許請求の範囲】
【請求項１】
表示形態がドットマトリクス型である表示部と、所定の画像データが格納されている画像データソース源と、上記画像データソース源から画像データを読み出して上記表示部を駆動する表示制御手段とを含む表示装置において、
上記画像データソース源には表示情報の異なる少なくとも２種類の元画像データが格納されており、観察者の両眼を結ぶ方向を行方向として、上記表示制御手段は上記表示部の表示画面を所定の画素数単位の幅で複数行に仮想的に分割して、上記画像データソース源に格納されている少なくとも２種類の元画像データのうちの一方の元画像データからは上記分割された奇数行に対応するデータを部分的に読み出し、他方の元画像データからは上記分割された偶数行に対応するデータを部分的に読み出して上記表示部の表示画面に上記一方の元画像データと上記他方の元画像データとを交互に表示するとともに、上記表示部の観察面側もしくは反観察面側のいずれかに上記行方向に沿って形成された遮光部と光透過部とを所定の幅をもって交互に配列してなるスリット板を配置してなることを特徴とする表示装置。
【請求項２】
上記遮光部の幅が上記光透過部の幅よりも大きい請求項１に記載の表示装置。
【請求項３】
上記スリット板が電気的に形成・消去可能なスイッチング液晶パネルからなる請求項１または２に記載の表示装置。
【請求項４】
上記表示部がＳＴＮ液晶パネル，ＴＦＴ液晶パネル，有機ＬＥＤパネルのいずれかからなる請求項１，２または３に記載の表示装置。
【請求項５】
上記表示部がバックライトを有する透過型もしくは光反射膜を有する反射型のいずれかからなる請求項１ないし４のいずれか１項に記載の表示装置。
【請求項６】
上記表示部の用途が携帯電話機である請求項１ないし５のいずれか１項に記載の表示装置。
【発明の詳細な説明】
【技術分野】
【０００１】
本発明は表示装置に関し、さらに詳しく言えば、見る角度によって異なる表示を観察することができる特に携帯電話機に好適な表示装置に関するものである。
【背景技術】
【０００２】
携帯電話機の進歩は目覚ましく、最近ではメイン表示パネルとサブ表示パネルの２画面を備えた機種が主流となりつつある。その一方で、液晶パネルを利用した表示装置の表示形態についても種々の工夫が凝らされており、そのひとつにパララックス・バリア方式やレンチキュラーレンズにより３次元画像（立体画像）が見られるようにしたものがある（なお、パララックス・バリア方式については非特許文献１参照）。
【０００３】
いずれにしても、ボタン（もしくはキー）操作に応じて表示画面は任意に切り替えられるが、そのような切り替え操作を行うことなく、ひとつ表示画面で異なる情報が観察できるようにしたものとしては、表示画面を複数に分割してその各分割画面に異なる情報を表示するマルチ画面がある。
【０００４】
しかしながら、ひとつの表示画面で異なる情報を表示させる場合、携帯電話機用途の表示パネルのように大きさおよび画素数に制限がある機種では、マルチ画面化すると分割画面の表示が小さくなり、また解像度も低下するため好ましくない。
【０００５】
【非特許文献１】“Ｔｈｅｏｒｙ  ｏｆ  Ｐａｒａｌｌａｘ  Ｂａｒｒｉｅｒｓ”，Ｊ．ＳＭＰＴＥ，ｖｏｌ．５９，Ｎｏ．７，ｐｐ１１〜２１，１９５２
【発明の開示】
【発明が解決しようとする課題】
【０００６】
したがって、本発明の課題は、ボタンもしくはキーなどによる画面切り替え操作を必要とすることなく、また、マルチ画面化することなく、ひとつの表示画面全体を利用して異なる情報が観察できるようにした表示装置を提供することにある。
【課題を解決するための手段】
【０００７】
上記課題を解決するため、本発明は、表示形態がドットマトリクス型である表示部と、所定の画像データが格納されている画像データソース源と、上記画像データソース源から画像データを読み出して上記表示部を駆動する表示制御手段とを含む表示装置において、上記画像データソース源には表示情報の異なる少なくとも２種類の元画像データが格納されており、観察者の両眼を結ぶ方向を行方向として、上記表示制御手段は上記表示部の表示画面を所定の画素数単位の幅で複数行に仮想的に分割して、上記画像データソース源に格納されている少なくとも２種類の元画像データのうちの一方の元画像データからは上記分割された奇数行に対応するデータを部分的に読み出し、他方の元画像データからは上記分割された偶数行に対応するデータを部分的に読み出して上記表示部の表示画面に上記一方の元画像データと上記他方の元画像データとを交互に表示するとともに、上記表示部の観察面側もしくは反観察面側のいずれかに上記行方向に沿って形成された遮光部と光透過部とを所定の幅をもって交互に配列してなるスリット板を配置してなることを特徴としている。
【０００８】
この構成によれば、特定の第１角度で表示画面を見ることにより例えば奇数行目の画像を観察でき、また、その角度を変えて特定の第２角度とすることにより例えば偶数行目の画像を観察することができる。
【０００９】
本発明において、上記遮光部の幅を上記光透過部の幅よりも大きくすることが視認性の面から好ましい。また、上記スリット板は固定されたスリットであってもよいが、表示に多様性を持たせるうえで電気的に形成・消去可能なスイッチング液晶パネルであることが好ましい。
【００１０】
本発明において、上記表示部はＳＴＮ液晶パネル，ＴＦＴ液晶パネル，有機ＬＥＤパネルのいずれも採用可能であり、さらにはモノクロ表示、カラー表示の別を問わない。また、バックライトを有する透過型もしくは光反射膜を有する反射型のいずれでもよい。本発明は、特に携帯電話機の表示装置として好適である。
【発明の効果】
【００１１】
本発明によれば、表示画面を複数の行に仮想的に分割してその奇数行と偶数行とにそれぞれ異なる情報（例えば、背景表示画像と時計表示画像）を表示するとともに、表示部の観察面側もしくは反観察面側のいずれかにスリット板を配置したことにより、表示画面と視線との相対的な角度を変えることにより、特定の第１角度では例えば背景表示画像を観察することができ、これに対して特定の第２角度では例えば時計表示画像を観察することができる。したがって、ボタンもしくはキーなどによる画面切り替え操作を必要とすることなく、また、マルチ画面化することなく、ひとつの表示画面全体を利用して異なる情報を観察できる表示装置が提供される。
【発明を実施するための最良の形態】
【００１２】
次に、図面を参照しながら、本発明の実施形態について説明するが、本発明はこれに限定されるものではない。
【００１３】
まず、図１に本発明を携帯電話機のサブ表示パネル１０に適用した例を示す。このサブ表示パネル１０はいわゆる着信待ち受け画面用であるが、それを見る視線Ｅの角度を変えることにより、例えば第１視線角度位置θ１では図２（ａ）に示す海辺の風景を写した背景画像Ｐ１が観察され、また、第２視線角度位置θ２では図２（ｂ）に示す時計画像Ｐ２が観察される。
【００１４】
図３にサブ表示パネル１０の分解斜視図を示し、図４にその制御駆動系２０を示す。サブ表示パネル１０は、基本的な構成として液晶パネル１１０とスリット板１２０とを含み、この例では透過型であるため、さらにバックライト１３０を備えている。
【００１５】
液晶パネル１１０は、表示形態がドットマトリクス表示であれば、ＳＴＮ液晶パネル，ＴＦＴ液晶パネル，有機ＬＥＤパネルのいずれであってもよく、また、モノクロ表示，カラー表示の別を問わない。バックライト１３０については厚さの薄いサイドライト型もしくはＥＬ発光パネルが好ましい。
【００１６】
図４に示す制御駆動系２０には、画像データソース源２１０と、中央演算処理手段としてのＣＰＵ２２０と、実際に液晶パネル１１０を駆動する駆動回路２３０とが含まれている。なお、ＣＰＵ２２０にはマイクロコンピュータが用いられてよい。画像データソース源２１０には、上記背景画像Ｐ１の元画像Ａおよび上記時計画像Ｐ２の元画像Ｂの各画像データが格納されている。
【００１７】
上記背景画像Ｐ１と上記時計画像Ｐ２の元画像Ｂとを液晶パネル１１０に表示するにあたって、ＣＰＵ２２０は観察者の両眼を結ぶ方向を行方向として液晶パネル１１０の表示画面１１１内を複数の行Ｌ（Ｌ１〜Ｌｎ）に仮想的に分割する。
【００１８】
すなわち、各行Ｌ１〜Ｌｎは観察者の両眼を結ぶ方向と平行で、表示画面１１１をまっすぐにして見た場合（真正面から見た場合）に水平方向となる。分割幅（１行の幅）は表示分解能の観点からしてドットマトリクス表示における１画素分であることが好ましいが、複数画素分とすることもできる。
【００１９】
スリット板１２０には、上記表示画面１１１内の各行Ｌ１〜Ｌｎに対応するように光透過部１２１と遮光部１２２とが交互に形成されている。この例において、光透過部１２１と遮光部１２２は同幅で、その配列ピッチは表示画面１１１の分割幅と等しくなるようにしているが、光透過部１２１と遮光部１２２は、上記表示画面の元画像Ａと元画像Ｂとを視認性よく分離して観察することができるように、遮光部１２２の幅を光透過部１２１の幅よりも大きくすることが好ましい。また、このようにするときの光透過部１２１の幅と遮光部１２２の幅との合計を上記表示画面１１１における２画素分の幅と等しくすることが好ましい。
【００２０】
スリット板１２０は液晶パネル１１０に対して所定の間隔をもって配置される。この例のように、液晶パネル１１０が透過型である場合、スリット板１２０は液晶パネル１１０の観察面側（前面側）もしくは反観察面側（液晶パネル１１０とバックライト１３０の間）のいずれに配置されてもよいが、反射型の場合には液晶パネル１１０の観察面側に配置される。
【００２１】
この例において、スリット板１２０は固定スリットであるが、スリット板１２０に図示しないスイッチング液晶パネルを用い、上記ＣＰＵ２２０によりそのスイッチング液晶パネルを制御して光透過部１２１と遮光部１２２とを電気的に形成・消失可能とすることもできる。
【００２２】
次に、図５を参照して本発明の動作について説明する。ＣＰＵ２２０は画像データソース源２１０内の元画像Ａと元画像Ｂとを図５（ａ）（ｂ）に示すようにそれぞれ上記表示画面１１１の各行Ｌ１〜Ｌｎに対応して仮想的に分割する。
【００２３】
そして、例えば元画像Ａについては奇数行の画像データＡ１，Ａ３，Ａ５…を読み出すとともに、元画像Ｂについては偶数行の画像データＢ２，Ｂ４，Ｂ６…を読み出して駆動回路２３０に与える。これにより、液晶パネル１１０の表示画面１１１には図５（ｃ）に示すように奇数行目が元画像Ａ，偶数行目が元画像Ｂである合成画像が表示される。
【００２４】
したがって、図６（ａ）に示すように、例えば表示画面１１１の偶数行とスリット板１２０の光透過部１２１とが位置的にずれなく重ねられているとすると、表示画面１１１を真正面位置から見た場合には元画像Ｂによる図２（ｂ）に示す時計画像Ｐ２が観察され、表示画面１１１を斜め方向から見た場合には元画像Ａによる図２（ａ）に示す背景画像Ｐ１が観察されることになる。
【００２５】
また、図６（ｂ）に示すように、表示画面１１１とスリット板１２０とを相対的に縦方向（垂直方向）にずらすことにより、背景画像Ｐ１と時計画像Ｐ２の各視認角度を調整することができる。なお、画像データソース源２１０内に着信表示画像の元画像を含ませ、着信があった場合には背景画像Ｐ１もしくは時計画像Ｐ２のいずれかを着信表示画像に切り替えることもできる。
【００２６】
本発明において、液晶パネル１１０の表示解像度は１００ｄｐｉ（１インチあたり１００ドット）以上であることが好ましく、図２（ａ）（ｂ）の表示例は、１２８ＲＧＢ×１２８の画素数を有し６５０００色のカラー表示可能なＳＴＮ液晶パネル（分割ピッチ０．１８ｍｍ，表示解像度１４０ｄｐｉ）の背面側に、０．１８ｍｍピッチでＩＴＯ配線を形成したスイッチング液晶パネルを配置してスリットを形成した場合のものである。
【００２７】
スリット板１２０としてスイッチング液晶パネルを用いる場合には、適宜そのスリットを消失させ全面を光透過部として元画像Ａ，Ｂもしくはその他の元画像（例えば、上記着信表示画像）をそのまま液晶パネル１１０に表示させることができる。
【００２８】
同様なことを固定スリットにて行うには、図７に例示するようにスリット板１２０を着脱可能とすればよい。また、図示しないが液晶パネル１１０の両側に一対のロールを設け、固定スリット部と表示画面１１１に対応する大きさの開口部とが形成されたシートを巻き上げ可能としてもよい。
【００２９】
上記の実施形態では液晶パネル１１０の表示画面１１１に２つの元画像Ａ，Ｂを合成する場合について説明したが、例えば３つの元画像Ａ，Ｂ，Ｃを合成することもできる。この場合には、表示画面１１１内で分割された複数の行のうち、３ｎ＋１行目に元画像Ａ，３ｎ＋２行目に元画像Ｂ，３ｎ＋３行目に元画像Ｃを割り当てる（ただし、ｎは０を含む整数）。
【００３０】
スリット板１２０については上記実施形態と同じく、例えば表示画面１１１の分割ピッチで光透過部１２１と遮光部１２２とを交互に配置する構成であってよいが、縦方向（垂直方向）における液晶パネル１１０との相対的な位置については、特定の第１視線角度位置では元画像Ａのみが視認でき、特定の第２視線角度位置では元画像Ｂのみが視認でき、また、特定の第３視線角度位置では元画像Ｃのみが視認できるようにずらして配置されることになる。
【産業上の利用可能性】
【００３１】
本発明の表示装置は、上記実施形態で説明した携帯電話機のサブ表示パネルとして好適であるが、この他に携帯電話機のメイン表示パネルはもとより、携帯電話機以外の表示装置にも広く適用可能である。
【図面の簡単な説明】
【００３２】
【図１】本発明による表示装置をサブ表示パネルとして備えた携帯電話機の外観を示す斜視図。
【図２】上記サブ表示パネルの異なる角度で視認される２つの表示画面を例示した画面図。
【図３】上記サブ表示パネルを示す分解斜視図。
【図４】本発明の表示装置の制御駆動系を示すブロック線図。
【図５】本発明において２つの元画像を合成する手順を示す説明図。
【図６】本発明の作用説明図。
【図７】本発明の別の実施形態を示す模式図。
【符号の説明】
【００３３】
１０  サブ表示パネル（表示装置）
１１０  液晶パネル
１１１  表示画面
１２０  スリット板
１２１  光透過部
１２２  遮光部
１３０  バックライト
２０  制御駆動系
２１０  画像データソース源む
２２０  ＣＰＵ
２３０  駆動回路
Ｐ１  背景画面
Ｐ２  時計画面
【図１】
2005107326.tif 000003
【図２】
2005107326.tif 000004
【図３】
2005107326.tif 000005
【図４】
2005107326.tif 000006
【図５】
2005107326.tif 000007
【図６】
2005107326.tif 000008
【図７】
2005107326.tif 000009